(57)【要約】【課題】  フード設備に端部域がオーバーラップする配置形態でセット（使用）されるパネルを回動できる回動支点構造、特に薄型レンジフードに最適な回動支点構造を提供する。【解決手段】  フード体１に設けた回動パネル４の端部寄りに、フード体１に設けた回動支点８で案内される支点ガイド部７を回動パネル８に所要長さをもって設けて、該支点ガイド部７のガイド代で前記回動パネル４の下方向への回動時に回動パネル４が前記回動支点８側とは逆側の端部方向に自重引き出されるように構成して、回動パネル４の端部域の下方にフード設備５がオーバーラップして設置されるレンジフードレイアウトであっても、それを避けてフード設備５に衝突させず尚且つ回動パネル４の回動支点８側の端部を回動支点８に対して最小距離寸法にして薄型レンジフードの天板部１１に衝突させずに下回動させる。【選択図】  図４
2005226914.tif 000002
【特許請求の範囲】
【請求項１】
フード体に設けた回動パネルの端部寄りの部位と、その部位が相対する前記フード体とのどちらか一方に対向する方向を向けて回動支点を設け、他方に支点ガイド部を設けて、前記回動支点とその支点ガイド部との両者間の所要長さの相対的なガイド代で回動パネルを、下方向への回動時に前記回動支点側の端部とは逆側の端部方向に引き出し可能に構成していることを特徴とするレンジフードにおける回動パネルの回動支点構造。
【請求項２】
フード体に設けた回動パネルの端部寄りに、フード体に設けた回動支点で案内される支点ガイド部を回動パネルに所要長さをもって設けて、該支点ガイド部のガイド代で前記回動パネルの下方向への回動時に回動パネルが前記回動支点側とは逆側の端部方向に自重引き出されるように構成していることを特徴とするレンジフードにおける回動パネルの回動支点構造。
【請求項３】
前記支点ガイド部中途部に連通して回動支点の抜差し部を設けていることを特徴とする請求項２記載のレンジフードにおける回動パネルの回動支点構造。
【請求項４】
前記回動支点を、回動パネルセット状態において支点ガイド部のガイド始端に配置するレイアウトにしていることを特徴とする請求項３記載のレンジフードにおける回動パネルの回動支点構造。
【請求項５】
前記回動支点の抜差し部は、支点ガイド部のガイド終端寄りに連続して交差する方向を向いて支点落し込み部を設け、該支点落し込み部のパネル引出し側とは逆側の構成面部に支点抜差し口を形成していることを特徴とする請求項４記載のレンジフードにおける回動パネルの回動支点構造。
【請求項６】
前記回動パネルが、フード体の開放部から一段奥張った位置に配置した覆板またはフード体との間に幅狭な吸引用空間を確保して配置された整流板であることを特徴とする請求項１〜５いずれか１項記載のレンジフードにおける回動パネルの回動支点構造。
【請求項７】
前記フード体が薄型であることを特徴とする請求項１〜６いずれか１項記載のレンジフードにおける回動パネルの回動支点構造。
【請求項８】
前記請求項１〜７いずれか１記載の回動支点構造を備えた薄型レンジフード。
【発明の詳細な説明】
【技術分野】
【０００１】
本発明はレンジフードに設けられる覆板、整流板等の回動パネルを回動可能に支える支点構造及びその支点構造を具備するレンジフードに関するものである。
【背景技術】
【０００２】
従来、フード体に設けられる整流板（回動パネル）や一段奥張った位置に設けられる覆板（回動パネル）等を回動可能に支える回動支点構造の一例としては、その整流板や覆板の後端縁に形成した引掛け部をフード体の開放縁に設けた被引掛け部に回動可能に係止する単純な構造であった（例えば、特許文献１参照）。
【０００３】
このような回動パネルは、フード体等の取付部との係止部を外すことで、回動支点を中心に下側に垂れ下がり状態となるため、内部の保守点検が行なえるし、取外してその回動パネル自体も清掃することができる。
【０００４】
ところで、今日、フード体の背面側や前面側等から照明装置、オイルパック、スイッチボックス等のフード設備が突設状に設けられ、そのフード設備を避けてその上方に前記覆板を設置して、加熱調理器具で発生した廃ガスや汚染空気を捕獲する広い捕獲空間を出きるだけ深く確保したり、自ら受水した油脂分をオイルパックに案内するために整流板をそのオイルパックの上方に配置する等のケースが往々にしてある。
その際、フード体の奥行き（深さ）には制限があるため、広い捕獲空間にしたり、油脂分をオイルパックに導くために覆板や整流板等の回動パネルは前記フード設備に対して端部域が、その上方に接近してオーバーラップする配置形態になってしまう。
そのため、そのフード設備が障害物になって、回動できず、内部の保守点検等を行なえなくする。
【０００５】
また、今日、欧米スタイルを取り入れた様々なキッチンレイアウトが提案されており、それに調和するデザイン性を重視したシステムキッチンが多く登場している。これらのシステムキッチンに組み込まれるレンジフードにもこれらにマッチするデザイン性を考慮したものが望まれており、最近では調理で発生した汚染空気の捕獲に最も影響を及ぼすフード体部分を非常に薄型にしたスリムタイプのレンジフードが切望されている。
スリムタイプのレンジフードにあっても、前記フード設備を避けてその上方に前記覆板を設置したり、フード体内の背面寄りや前面寄り等に配線ボックス、エアーカーテン用の補助送風装置等のフード内設備が収容されることがあり、そのフード設備やフード内設備を避けて前記回動パネルが回動できるようになれば、更に便利なものとなる。
【特許文献１】特開２００１−４１８１号公報
【発明の開示】
【発明が解決しようとする課題】
【０００６】
本発明は上記従来事情に鑑みてなされたもので、その目的とする処は、前記フード設備、フード内設備に端部域がオーバーラップする配置形態でセット（使用）されるパネルを回動できる回動支点構造、特に薄型レンジフードに最適な回動支点構造を提供することにある。
他の目的とする処は、更に加えて回動パネルが係止部の解除で自らがフード設備、フード内設備を避けて回動する回動支点構造及びそれを備えた薄型レンジフードを提供することにある。
【課題を解決するための手段】
【０００７】
前記課題を解決するために講じた技術的手段は、フード体に設けた回動パネルの端部寄りの部位と、その部位が相対する前記フード体とのどちらか一方に対向する方向を向けて回動支点を設け、他方に支点ガイド部を設けて、前記回動支点とその支点ガイド部との両者間の所要長さの相対的なガイド代で回動パネルを、下方向への回動時に前記回動支点側の端部とは逆側の端部方向に引き出し可能に構成していることを特徴とするレンジフードにおける回動パネルの回動支点構造である（請求項１）。
【０００８】
以上の手段よれば、回動支点とその支点ガイド部との両者間の相対的なガイド代（ガイド長さ）を、係止部との関係を解除してフード設備（回動パネルの端部域に下方にオーバーラップして設置されるフード設備）に衝突せずに回動させる回動パネル下回動時の逃げ代になる。
また、フード設備が回動パネルの端部域上方にオーバーラップして設置されるフード内設備の場合には、係止部の関係を解除して、回動支点側の端部がそのフード内設備に衝突しない程度まで回動させた状態で、前記端部域とは逆側の端部方向に回動パネルを引き出し、フード内設備を外れたフード内スペースを利用して全回動させることができる。
【０００９】
そして、フード体に設けた回動パネルの端部寄りに、フード体に設けた回動支点で案内される支点ガイド部を回動パネルに所要長さをもって設けて、該支点ガイド部のガイド代で前記回動パネルの下方向への回動時に回動パネルが前記回動支点側とは逆側の端部方向に自重引き出されるように構成していると、薄型レンジフードに特に有効なものである（請求項２）。
【００１０】
以上の手段によれば、回動パネルの回動支点を中心にする下向きな回動を、支点ガイド部による案内作用で回動パネルを回動支点側とは逆側の端部方向に自重引き出ししながら行なわせて、回動パネルの回動支点側の端部を回動支点に対して最小距離寸法で薄型レンジフードの天板部に衝突させずに下回動させる。
【００１１】
そして、支点ガイド部中途部に連通して回動支点の抜差し部を設けていると好適なものである（請求項３。）
【００１２】
また、回動支点を、回動パネルセット状態において支点ガイド部のガイド始端に配置するレイアウトしていると、好ましいものである（請求項４）。
前記セット状態とは、回動パネルを所定位置に装設した、所謂レンジフード使用状態である。
ここで、ガイド始端とは、例えば回動パネルの後端側に回動支点を有する場合には、フード体に対して前側の支点ガイド部前端を指し、その回動パネルの前端側に回動支点を有する場合には、フード体に対して後側の支点ガイド部後端を指す。
【００１３】
そして、回動支点の抜差し部は、回動パネルセット状態において支点ガイド部のガイド終端寄りに連続して交差する方向を向いて支点落し込み部を設け、該支点落し込み部のパネル引出し側とは逆側の構成面部に支点抜差し口を形成していると、最適なものとなる（請求項５）。
【００１４】
以上の手段によれば、支点ガイド部のガイド終端で回動支点が係止して鉛直状に吊下げられる回動パネルを僅か上方に持ち上げて支点落し込み部その回動支点を落とし込むことで回動パネルが抜き取れる。
【００１５】
そして、フード体が薄型であると好適なものであるし（請求項７）、その回動パネルは、その一例としてフード体の開放部から一段奥張った位置に配置した覆板またはフード体との間に幅狭な吸引用空間を確保して配置された整流板を挙げることができる（請求項６）。
【発明の効果】
【００１６】
本発明は以上のように構成したから下記の利点がある。
（請求項１）回動パネルの端部域の上方や下方にフード設備がオーバーラップして設置されるレンジフードレイアウトであっても、それを避けてフード体を下回動できる。
【００１７】
（請求項２）しかも、自重で回動パネルが回動支点側とは逆側の端部方向に引出しされて、回動パネルにおける回動支点側の端部が、その回動支点との最小距離寸法でフード体内で回動するようになり、薄型レンジフードであっても回動パネルを天板等に衝突させずに下回動することができる。
しかも、係止部を外すことで、自重で回動パネルが引き出されて回動するので、操作簡単である。
【００１８】
（請求項４）その上、回動支点を、回動パネルセット状態において支点ガイド部のガイド始端に配置するレイアウトにしていると、ガイド始端と回動支点とが回動パネルセット状態へのパネル位置決め部になるので、係止部との相対関係にズレが生ぜず係止が確実に行える。
【００１９】
（請求項５）また、支点ガイド部のガイド終端寄りに連続して交差する方向を向く支点落し込み部のパネル引き出し側とは逆側の構成面部に支点抜差し口を開口する抜差し部構成にしていると、吊下げ状態の回動パネルを落し込み部に落し込む簡単動作でそのパネルを下方に抜き取れる。
しかも、支点落し込み部に回動支点を落し込むパネル持ち上げ量も僅かで良く、奥行き寸法が小さな薄型レンジフードでも安心して使用することができる。
【００２０】
（請求項２〜５）回動パネルが自重で回動支点側とは逆側の端部方向に引出しされて、回動パネルにおける回動支点側の端部が、その回動支点との最小距離寸法でフード体内で回動するようになるので、フード体内の背面側寄りや前面側寄りに配線ボックス、補助送風装置等のフード内設備を収容する薄型レンジフードであっても、それを避けて回動パネルを全回動でき、奥行きが狭い薄型レンジフードに最適である。
【発明を実施するための最良の形態】
【００２１】
次に本発明レンジフードにおける回動パネルの回動支点構造及びその回動支点構造を備えたレンジフードの実施の形態を図面に基づいて説明すると、図１〜図６は、その第１の実施の形態を、図７は、同第２の実施の形態を、更には図８は同第３の実施の形態を、図９は、同第４の実施の形態、図１０は、同第５の実施の形態を各々示している。
まず、第１の実施の形態を説明すると、符号Ａは、そのレンジフードである。
【実施例１】
【００２２】
このレンジフードＡは、下面を開放した扁平薄箱状のフード体１の天板部１１に排気手段２を設置し、その排気手段２を前方から立設された幕板３で隠し、下面開放部から一段奥張った位置に回動パネルとして覆板４を設け、覆板４下方を加熱調理で発生した廃ガスＧの捕獲空間Ｓとし、その覆板４の後端域をオーバーラップさせて、その下位にフード設備５としてオイルパックをフード体１の背板２１から突設状に備えている。
【００２３】
前記覆板４は、図１等に示すようにフード体１に形成した一段奥張っている凹窪部３１底に殆どのその底を占めるように大きさに形成されており、周縁に縁部１４を周設すると共に、図１に示すようにフード体１の背板２１側に向かって傾斜状になっており、その四縁寄りに長孔状の吸引用空間１００を開孔し、その直後にその吸引用空間１００を流速を速めて通過する廃ガスＧを衝突させて油脂分を付着させると共にその付着する油脂分を覆板４裏面に落下させる逆Ｌ型状の廃ガス衝突板６を立設し、前記オイルパック５が臨む後端域にオイル落下孔２４を開孔して構成されたレイアウトになっている。
【００２４】
そのため、フード体１内を保守点検したい時等に前記覆板４を下回動させるには、そのオイルパック５とのオーバーラップが障害になって、覆板４を下回動できない。
【００２５】
この実施の形態では、回動パネルである覆板４の後端寄りに設けた左右一対の支点ガイド部７、７と、フード体１の両側板４１、４１からその支点ガイド部７、７に向けて突設した左右一対の回動支点８、８とで前記オーバーラップを回避して覆板４を下回動する回動支点構造を構成している。
【００２６】
前記支点ガイド部７は、図１、図５等に示すように覆板４の後端寄りにフード体１内に立設する立上板に横長孔状に所要長さをもって開孔されている。
【００２７】
前記回動支点８は、図３に示すようにその支点ガイド部７に相対するフード体１の側板４１に設けたブラケットから突設すると共にその先端に抜け止め鍔１８を設けてなり、支点ガイド部７にその抜け止め鍔１８を内側（覆板側）位置させた状態で挿入係止されて、前記支点ガイド部７の所要長さ分、覆板４を所要長さ引き出すことができるようになっている。
【００２８】
前記所要長さとは、例えば支点ガイド部７のガイド始端７ａ、即ち支点ガイド部７前端に回動支点８を位置させた状態で前方に引き出した際、覆板４の後端縁がオイルパック（フード設備）５とのオーバーラップ関係が解消される長さのことである。
【００２９】
前記回動支点８の抜差し部１７は、図１に示すように前記支点ガイド部７において中途部、好ましくはガイド終端７ｂ寄りに連通して下向きに前記抜け止め鍔１８を収容できるように袋状の支点落とし込み部１７ａを設け、その支点落とし込み部１７ａにおける覆板４引き出し側とは逆側の構成面部に支点抜差し口１７ｂをフード体１の背板２１と相対して開口してある。
【００３０】
前記覆板４は、その前端側を係止部２００でフード体１に対して係脱可能になっている。
【００３１】
この係止部２００は、従来から周知なようにフード体１の天板部１１に設けた取付脚（図示せず）にダルマ孔（図示せず）を介してローレットネジ（図示せず）で螺合する等、任意な手段を提案することができるが、この実施の形態では、図２に示すように、フード体１の両側板４１に設けたバネ付勢式の抜差しピン２０１を覆板４に開孔している係止孔２０２にそのバネ力で係止する構成になっている。
符号２０３はそのバネの収容ケースであり、図２に示すようにフード体１の側板４１にブラケットを介して取付けられており、後端を開放した内部中空な銃弾形状を呈する抜差しピン２０１のその開放端に形成されている係止鍔２０１ａが収容ケース２０３の前端縁に係止するまでの範囲だけ、抜差しピン２０１が収容ケース２０３に収容されている圧縮バネ２０４の付勢力で出入りする構成になっている。
【００３２】
そして、係止孔２０２は、同図２に示すにように前側の廃ガス衝突板６の両端短手縁から覆板４の裏面方向に外向き拡がるように折曲した傾斜支持板１５に一段外向きにその傾斜よりも若干傾斜を急にして外向きに傾斜するガイド板部２５に開孔されている。
【００３３】
以上のように構成されている回動パネル（覆板）４の回動支点構造を有するレンジフードＡにあっては、支点ガイド部７の前端であるガイド始端７ａに回動支点８が位置して抜差しピン２０１を係止孔２０２に係止して、覆板４が略水平状に支持されている（図１）。
この使用状態では覆板４の後端域がフード設備であるオイルパック５に接近してその上方にオーバーラップしている。
そして、覆板４を下回動させる時には、前側の吸込側空間１００から指を差し入れ、前記抜差しピン２０１をフード体１の側板４１方向にプッシュして係止を解除すると、覆板４は自重で下向きに回動しながら、オイルパック５に干渉することなく、自ずと前方に引き出されて、図５（ｃ）、図６（ａ）に示すような吊下げ状態に変化する。
その際、自重で覆板４が回動支点８側とは逆側の端部方向に引出しされて、覆板４における回動支点８側の端部が、その回動支点８との最小距離寸法でフード体１内で回動するようになり、薄型なレンジフードであっても天板部１１等に衝突させずに下回動される。
途中で支点落とし込み部１７ａ上を回動支点８が通過するため、落ち込まないように覆板４を手で支えれば覆板４は不意に外れることなく、図５（ｃ）の吊下げ状態になる。
更に、吊下げ状態の覆板４を若干持ち上げて、支点落とし込み部１７ａに回動支点８を落とし込んで、下方に引抜けば覆板４を外すことができる（図６（ｂ）（ｃ）（ｄ））。
【００３４】
覆板４を再度セットする時には、支点落とし込み部１７ａを介して回動支点８を支点ガイド部７に案内して上方に回動し、係止部２００を構成すれば、覆板４の後端域がオイルパック５のすぐ上方でオーバーラップする使用状態に変化させることができる。
【実施例２】
【００３５】
次に図７に示す第２の実施の形態の回動支点構造を説明すると、この実施の形態は、回動パネルをフード体１との間に吸引用空間１００を確保する整流板９にした場合である。
この実施の形態も整流板９の後端域が下方に接近してフード体１の背板２１に設けられているフード設備、即ちオイルパック５にオーバーラップしている場合を示しており、整流板９の裏面に付着したり、滴下する油脂分を前記オイルパック５に案内すべく、該整流板９は後方に向けて傾斜状になっており、この後端域に前記オイルパック５に臨んでオイル落下孔１９が開孔されている。
【００３６】
左右一対の支点ガイド部７、７、フード体１の両側板４１、４１からその支点ガイド部７、７に向けて突設した左右一対の回動支点８、８の構成は前記する第１の実施の形態と同様である。
また、係止部２００については、フード体１の天板部１１に設けた弾性係合片に整流板９に設けた係止片が弾性を利用して係脱可能に係止する構成を示している。
作用は前記第１の実施の形態と同様であるため、具体的に説明は同一符号を付して省略する。
【実施例３】
【００３７】
図８に示す第３の実施の形態は、前記覆板や整流板等の回動パネル４において、照明、スイッチボックス等のフード設備５がフード体１の前板５１側から突設状に設けられ、そのフード設備５に回動パネル４の前端域がその上方に接近してオーバーラップするレンジフードレイアウトになっている。
【００３８】
この実施の形態において、回動支点構造を、回動パネル４の前端寄りに設けた左右一対の支点ガイド部７、７と、フード体１の両側板４１、４１からその支点ガイド部７、７に向けて突設した左右一対の回動支点８、８とで構成している。
支点ガイド部７、７、回動支点８、８の構成は、前記する各実施の形態と同様である。
ただ相違する点は、支点ガイド部７のガイド始端７ａ、即ち支点ガイド部７後端に回動支点８を位置させた状態で前方に引き出した際、回動パネル４の前端縁がフード設備５とのオーバーラップ関係が解消されるようになっている点である。
【実施例４】
【００３９】
次に図９に示す第４の実施の形態について説明すると、この実施の形態は、前記する薄型のレンジフードにおいて、支点ガイド部７のガイド代（ガイド長さ）を利用してフード体１内の背板２１側に寄って収容した配線ボックス、補助送風装置等のフード内設備１５に干渉することなく回動パネルを下回動する例である。
【００４０】
この実施の形態の場合には、前記する各実施の形態と同様に自重で回動パネル４が回動支点８側とは逆側の端部方向に引出しされて、回動パネル４における回動支点８側の端部が、その回動支点８との最小距離寸法でフード体１内で回動するようになり、回動支点８側の端部がそのフード内設備１５に衝突せずに下回動させることができる。
このようにすることによって、フード体１内の背板２１側に寄って収容されているフード内設備１５で回動が妨げられることなく、覆板や整流板等の回動パネル５を下向きに回動して、フード体１をオープンにできる。
【００４１】
尚、図示しないが回動支点８を前板寄りに変えて、フード体１内の前板側寄りに設けた照明やスイッチボックス等のフード内設備１５に干渉することなく回動パネル４を下回動することができるようにすること自由なものである。
【実施例５】
【００４２】
更に図１０に示す第５の実施の形態を説明すると、請求項１に関する実施の形態であり、前記する支点ガイド部７をフード体１の側板４１に設ける一方、回動支点８を回動パネル４に設けたものである。
【００４３】
尚、各実施の形態では、回動支点８を、回動パネル４の後端寄りや前端寄りにして、回動パネル４が前方や後方に回動するタイプについて説明しているが、本発明は、回動支点８を、回動パネル４の片側端寄りに設けて、回動パネル４が側方に回動するタイプをも包含するものである。
また、図示しないがフード設備を係止部として利用することも可能なものである。その場合には、フード体の背板や前板、側板から突設するフード設備の上面を載せ面にして回動パネルを支承する構成にして、敢えて係止部を設けずとも、支点ガイド部のガイド代（ガイド長さ）を利用して、フード設備との干渉を避けた位置まで回動パネルを後進または前進、更には左右方向に移動させてから、回動させるようにする。
【図面の簡単な説明】
【００４４】
【図１】第１の実施の形態のレンジフードの側面断面図。
【図２】図１の（２）−（２）線拡大断面図。
【図３】図１の（３）−（３）線拡大断面図。
【図４】回動支点と、支点ガイド部との関係を示す斜視図で、（ａ）は、支点ガイド部側斜め上方からの斜視図、（ｂ）は、回動支点側斜め上方からの斜視図。
【図５】回動パネルの下回動状態を示す要部の側面断面図で一部切欠して示し、（ａ）は、回動パネルを回動支点側とは逆側の端部をフード体の下縁下まで回動した状態を示す、（ｂ）は、同逆側の端部方向に回動パネルが引き出される状態を示す、（ｃ）は、回動パネルの吊下げ状態を示す。
【図６】回動パネルを外す状態を示す要部の拡大断面図で一部切欠して示し、（ａ）は、回動パネル吊り上げ状態を示し、（ｂ）は、回動支点を支点落とし込み部と対応するように回動パネルを若干上方に移動させた状態を示し、（ｃ）は、回動支点をその支点落とし込み部に落とし込んだ状態を示し、（ｄ）は、回動パネルを引抜いた状態を示す。
【図７】第２の実施の形態のレンジフードの要部の側面断面図。
【図８】第３の実施の形態のレンジフードの要部の側面断面図で、（ａ）は、回動パネルのセット状態、（ｂ）は、吊下げ状態を示す。
【図９】第４の実施の形態のレンジフードの要部の側面断面図。
【図１０】第５の実施の形態のレンジフードにおいて、回動支点と支点ガイド部との関係を示す横断平面図で拡大して示す。
【符号の説明】
【００４５】
Ａ：レンジフード                      ４：回動パネル（覆板）
８：回動支点                          ７：支点ガイド部
５：フード設備                      １５：フード内設備
７ａ：ガイド始端                        ７ｂ：ガイド終端
１７：抜差し部                        １７ａ：支点落とし込み部
１７ｂ：支点抜差し口                      ９：整流板（回動パネル）
２００：係止部
【図１】
2005226914.tif 000003
【図２】
2005226914.tif 000004
【図３】
2005226914.tif 000005
【図４】
2005226914.tif 000006
【図５】
2005226914.tif 000007
【図６】
2005226914.tif 000008
【図７】
2005226914.tif 000009
【図８】
2005226914.tif 000010
【図９】
2005226914.tif 000011
【図１０】
2005226914.tif 000012